(57)【要約】      （修正有）【課題】比較的簡単な施工によって、三角保護板に接触しなくても体を移動手すりから乗り出した乗客に対して注意を喚起し、かつ、他の乗客に不快感を与えることがない安全装置を提供する。【解決手段】乗客コンベアの安全装置は、移動手すり１を上部に有する欄干を両側に備え、欄干下部外側の外側デッキ８上に登り防止仕切り板５a、５b、５cを立設した乗客コンベアにおいて、前記外側デッキ８内に警告に関する音情報を発するパラメトリックスピーカ６を設け、パラメトリックスピーカ６から発せられる前記音情報を登り防止仕切り板５a、５b、５cに反射させて移動手すり１の外側においてのみ聴取可能に構成し、移動手すり１から外側に体を乗り出している乗客に注意を促すようにした。【選択図】図１
2011046490.tif 000002
【特許請求の範囲】
【請求項１】
移動手すりを上部に有する欄干を両側に備え、欄干下部外側の外側デッキ上に登り防止仕切り板を立設した乗客コンベアにおいて、
前記外側デッキ内に警告に関する音情報を発するパラメトリックスピーカを設け、
パラメトリックスピーカから発せられる前記音情報を登り防止仕切り板に反射させて移動手すりの外側においてのみ聴取可能に構成し、
移動手すりから外側に体を乗り出している乗客に注意を促すようにしたことを特徴とする乗客コンベアの安全装置。
【請求項２】
移動手すりを上部に有する欄干を両側に備え、欄干下部外側の外側デッキ上に登り防止仕切り板を立設した乗客コンベアにおいて、
前記登り防止仕切り板に警告に関する音情報を発するパラメトリックスピーカを設け、
パラメトリックスピーカから発せられる前記音情報を外側デッキに反射させて移動手すりの外側においてのみ聴取可能に構成し、
移動手すりから外側に体を乗り出している乗客に注意を促すようにしたことを特徴とする乗客コンベアの安全装置。
【発明の詳細な説明】
【技術分野】
【０００１】
本発明は、エスカレータ又は動く歩道などの乗客コンベアの安全装置に関し、特に乗客コンベアの欄干上部の移動手すりから外側に体を乗り出した乗客に危険を報知する安全装置に関する。
【背景技術】
【０００２】
従来より、乗客コンベア、例えばエスカレータが設置された建屋の上階側床とエスカレータの欄干上部の移動手すりとにより形成される三角状の空間部に固定三角部保護板及び可動警告板を設け、三角状空間部分に体を乗り出した乗客に注意を喚起するようにしている。しかしながら、前記固定三角部保護板や可動警告板に接触したことに気づかない又は接触しても危険と感じないなどのことがあって、前記の方法では喚起手段として不十分な場合がある。この問題の解決手段として、下記特許文献１に示されるように、移動手すりの外側に光電ビームを配設し、光電ビームが遮光されたときに注意放送を流す技術が知られている。ところが、前記光電ビームによる注意放送での注意喚起では注意を喚起すべき対象者以外の乗客にも音声による注意放送が聞こえてしまい、正しい利用方法で利用している乗客に不快感を与える問題点があった。この問題の対策として、下記特許文献２に示されるように、三角保護板に骨伝導スピーカーを設け、この骨伝導スピーカーにより三角保護板に接触した利用者のみに注意放送を認識させる技術が知られている。
【先行技術文献】
【特許文献】
【０００３】
【特許文献１】特開平１０−２９７８６５号公報
【特許文献２】特開２００８−２６５９９３号公報
【発明の概要】
【発明が解決しようとする課題】
【０００４】
しかしながら、上記特許文献１に示される光電ビームを用いた注意喚起方法には前述した問題点に加え、天井部と乗客コンベア間に光電ビームを設置し、また放送用のスピーカーを天井等に設ける必要があるため、外装工事を含む装置取り付け工事に多大の労力が必要であった。また、上記特許文献２に示される骨伝導スピーカーを用いた注意喚起方法は、三角保護板に頭部または頸部など体の一部が接触しない限り注意放送を認識することができないため、三角保護板に至るまでに体を乗り出している乗客に対しては注意を喚起できないという問題点があった。
【０００５】
本発明は、上記に鑑みて行われたもので、比較的簡単な施工によって、三角保護板に接触しなくても体を移動手すりから乗り出した乗客に対して注意を喚起し、かつ、他の乗客に不快感を与えることがない安全装置を提供する。
【課題を解決するための手段】
【０００６】
上記課題を解決するための本発明の構成は次のとおりである。
【０００７】
本発明に係る乗客コンベアの安全装置は、移動手すりを上部に有する欄干を両側に備え、欄干下部外側の外側デッキ上に登り防止仕切り板を立設した乗客コンベアにおいて、前記外側デッキ内に警告に関する音情報を発するパラメトリックスピーカを設け、パラメトリックスピーカから発せられる前記音情報を登り防止仕切り板に反射させて移動手すりの外側においてのみ聴取可能に構成し、移動手すりから外側に体を乗り出している乗客に注意を促すようにしたことを特徴とする。
【０００８】
また、本発明に係る乗客コンベアの安全装置は、移動手すりを上部に有する欄干を両側に備え、欄干下部外側の外側デッキ上に登り防止仕切り板を立設した乗客コンベアにおいて、前記登り防止仕切り板に警告に関する音情報を発するパラメトリックスピーカを設け、パラメトリックスピーカから発せられる前記音情報を外側デッキに反射させて移動手すりの外側においてのみ聴取可能に構成し、移動手すりから外側に体を乗り出している乗客に注意を促すようにしたことを特徴とする。
【０００９】
このように警告に関する音情報、すなわち乗客コンベアの移動手すりから外側に体を乗り出すことが危険である旨を放送する音声合成装置と、該音声合成装置に接続され、前記音声合成装置から放送される内容を発するパラメトリックスピーカを設け、前記パラメトリックスピーカを乗客コンベアの外側デッキに設け、該パラメトリックスピーカから発する音情報を、例えば前記パラメトリックスピーカよりも下階側に設置された登り防止仕切り板で反射させ、パラメトリックスピーカから発せられる音情報の超指向性により、音情報の可聴範囲を乗客コンベアの移動手すりよりも外側に限定させることにより、正しく利用している乗客に不快感を与えることなく、移動手すりより外側に体を乗り出した乗客のみに確実に注意喚起放送を伝えることが可能となる。
【発明の効果】
【００１０】
パラメトリックスピーカの超指向性を有効に使用することで、移動手すり外側に体を乗り出した乗客のみに報知することができるため、正しい乗り方をしている乗客に不快感を与えることをなくすことができる。また、登り防止仕切り板で反射させることで、音源から被報知者までの距離を一定以上に確保でき、被報知者に対してパラメトリックスピーカーから発せられる不可聴音である超音波の音圧を受けることによる違和感をなくすことが可能となる。また、登り防止仕切り板を反射板と兼用しているため、部品数の増加を最小限にして本効果を得ることができる。また、反射板として外側デッキを使用する場合は部品数を増やすことなく本効果を得ることができる。
【図面の簡単な説明】
【００１１】
【図１】本発明の実施例１を示すエスカレータの概略側面図である。
【図２】上階側の最上位の登り防止仕切り板であって、（ａ）は下方から見た正面図であり、（ｂ）は側面図である。
【図３】本発明の実施例１において、可動警告板付近の概略断面図である。
【図４】本発明の実施例２を示すエスカレータの概略側面図である。
【発明を実施するための形態】
【００１２】
以下に、本発明の実施例を図面に基づいて説明する。なお、以下に詳述する実施例は、エスカレータについてのものであるが、動く歩道についても適用できるものである。
【実施例１】
【００１３】
図１は、本発明に係る乗客コンベアの安全装置の一実施例を示すものであって、１は下階側から上階側に運転するエスカレータの欄干上部の移動手すりを示し、エスカレータの踏段と共に同方向に移動する。２はエスカレータが設置された建屋の上階側床を示し、前記エスカレータの欄干上部の移動手すり１とエスカレータを設置する建屋の上階側床２とにより形成される三角状の空間部分には建屋上階側床２から垂下する固定三角部保護板３が固定されている。４は建屋上階側床面２から吊り下げられている可動警告板を示し、身を乗り出した乗客が固定三角保護板３に接近することを事前に警告するために固定三角部保護板３よりも下階側、すなわち乗口側に設けたものである。８は欄干下部外側に配されている外側デッキを示す。そして、該外側デッキ８には、該外側デッキ８を登らせないために、下階側から上階側に向かって３箇所の登り防止仕切り板５ａ，５ｂ，５ｃが立設されている。
【００１４】
前記外側デッキ８内には、最上位の登り防止仕切り板５ａより上方の位置に、パラメトリックスピーカ６が収納されており、エスカレータの進行方向とは逆向きの方向に音が発するように構成されている。このパラメトリックスピーカ６を設けている箇所の外側デッキ８には、パラメトリックスピーカ６から発する超音波が透過するように穴が設けられている。また、この穴には、塵芥が外側デッキ８内に入り込まないように布などでカバーされている。
【００１５】
該パラメトリックスピーカ６は、移動手すり１から体を乗り出すことが危険である旨の音情報を発する放送装置に接続されており、パラメトリックスピーカ６から常にその注意を喚起する音情報が発せられている。また、上階側の最上位に設けている登り防止仕切り板５ａには、図２（ａ）（ｂ）に示すように、パラメトリックスピーカ６から発せられた超音波を反射することができる反射板９が設けられている。そして、前記反射板９とパラメトリックスピーカ６の音の発する方向とを角度調整することにより、パラメトリックスピーカ６から発せられた超音波を可聴範囲７に反射させることができるようになっている。図１及び図３に示す７はパラメトリックスピーカ６から発せられた音情報の可聴範囲を示す。この可聴範囲７は、図３に示すように、おおよそ可動警告板４と欄干との間であり、移動手すりから体を乗り出した乗客に対してパラメトリックスピーカ６から発せられた音情報が聞こえるようになっている。
【００１６】
また、前記パラメトリックスピーカは、特定範囲の空間に可聴音を発生させる装置として従来より提案されており、該パラメトリックスピーカは、可聴域信号で振幅変調された超音波を超音波振動子などのトランスデューサから空中に放射することで、パラメトリックアレイ効果と呼ばれる空気中における音波の非線形伝搬特性の結果、超音波伝搬路に沿って、変調信号が自己復調して超音波の超指向性を備えた可聴音となるものである。また、十分に聞こえるための可聴音とするためには、相当大きな超音波を発する必要があり、また、超音波から可聴音に自己復調するためには、一定の距離を必要とする。したがって、エスカレータの移動手すりから体を乗り出している乗客に対して、超音波の音圧を与えず、かつ、エスカレータの欄干上部の移動手すり１とエスカレータを設置する建屋の上階側床２とにより形成される三角状の空間部分に接近していることを報知する範囲においては可聴音に復調される距離を稼ぐために反射板９が設けられている。
【実施例２】
【００１７】
実施例１は、エスカレータの外側デッキ８内にパラメトリックスピーカー６を設けた場合を示したが、実施例２は、図４に示すように、上階側の最上位の登り防止仕切り板５ａにパラメトリックスピーカ６を設けたものである。パラメトリックスピーカ６は、エスカレータの進行方向に向けて音が発せられ、外側デッキ８により反射されるように設けられており、パラメトリックスピーカ６から発せられた音情報は、エスカレータの外側デッキ８に反射するため、実施例１と同様に、図３に示すように、可聴範囲７に示す位置で移動手すり１から体を乗り出している乗客に対して注意情報を報知することができる。
【符号の説明】
【００１８】
１……移動手すり
２……上階側床
３……固定三角部保護板
４……可動警告板
５……登り防止仕切り板
６……パラメトリックスピーカー
７……可聴範囲
８……外側デッキ
９……反射板
【図１】
2011046490.tif 000003
【図２】
2011046490.tif 000004
【図３】
2011046490.tif 000005
【図４】
2011046490.tif 000006